【手続補正書】
【提出日】平成28年5月11日(2016.5.11)
【手続補正１】
【補正対象書類名】特許請求の範囲
【補正対象項目名】全文
【補正方法】変更
【補正の内容】
【特許請求の範囲】
【請求項１】
光学系を介した撮像により生成された撮影画像を取得し、
前記光学系の撮影条件に対応する前記光学系の点像強度分布関数の情報に基づいて生成されたフィルタを用いて前記撮影画像に対するアンシャープマスク処理を行う処理手段を有し、
前記フィルタは２次元のタップのデータを持つことを特徴とする画像処理装置。
【請求項２】
前記撮影画像に対するアンシャープマスク処理に用いられるフィルタは、前記２次元のタップのデータが非対称に分布しているフィルタを含むことを特徴とする請求項１に記載の画像処理装置。
【請求項３】
前記撮影画像に対するアンシャープマスク処理に用いられるフィルタは、前記２次元のタップのデータが、像高方向および像高方向以外の方向において非対称に分布しているフィルタを含むことを特徴とする請求項２に記載の画像処理装置。
【請求項４】
前記処理手段は、
前記フィルタを前記撮影画像に適用した画像と、前記撮影画像との差分をとることによって補正信号を生成する生成手段と、
前記生成手段が生成した前記補正信号を定数倍して前記撮影画像に加算することによって、または、前記生成手段が生成した前記補正信号を前記撮影画像の位置に応じた調整係数を用いて調整して前記撮影画像に加算することによって、前記撮影画像を鮮鋭化する鮮鋭化手段と、
を有することを特徴とする請求項１乃至３のいずれか１項に記載の画像処理装置。
【請求項５】
前記処理手段は、
前記点像強度分布関数と理想点像との差分情報に基づいて生成されたフィルタを、前記撮影画像に畳み込み積分することによって補正信号を生成する生成手段と、
前記生成手段が生成した前記補正信号を定数倍して前記撮影画像に加算することによって、または、前記生成手段が生成した前記補正信号を前記撮影画像の位置に応じた調整係数を用いて調整して前記撮影画像に加算することによって、前記撮影画像を鮮鋭化する鮮鋭化手段と、
を有することを特徴とする請求項１乃至３のいずれか１項に記載の画像処理装置。
【請求項６】
前記処理手段は、
前記点像強度分布関数と理想点像との差分情報を定数倍して前記理想点像に加算することによって、または、前記差分情報を前記撮影画像の位置に応じた調整係数を用いて調整して前記理想点像に加算することによって、フィルタを生成する生成手段と、
前記生成手段が生成した前記フィルタを、前記光学系を介した撮像により生成された撮影画像に畳み込み積分することによって前記撮影画像を鮮鋭化する鮮鋭化手段と、
を有することを特徴とする請求項１乃至３のいずれか１項に記載の画像処理装置。
【請求項７】
前記処理手段は、
１と定数の和と理想点像の積と、前記点像強度分布関数と前記定数の積との差分情報に基づいて、または、前記撮影画像の位置に応じた調整係数と１の和と理想点像の積と、前記点像強度分布関数と前記調整係数の積との差分情報に基づいて、フィルタを生成する生成手段と、
前記生成手段が生成した前記フィルタを、前記撮影画像に畳み込み積分することによって前記撮影画像を鮮鋭化する鮮鋭化手段と、
を有することを特徴とする請求項１乃至３のいずれか１項に記載の画像処理装置。
【請求項８】
前記撮影条件は、像高、焦点距離、Ｆ値、および被写体距離のうち少なくとも一つを含むことを特徴とする請求項１乃至７のいずれか１項に記載の画像処理装置。
【請求項９】
前記処理手段は、前記撮影画像を構成する複数の色成分のうちの各色成分または特定の色成分に対してアンシャープマスク処理を行うことを特徴とする請求項１乃至８のいずれか１項に記載の画像処理装置。
【請求項１０】
前記撮影画像は、色成分ごとに離散的に規則配列された画像データであり、
前記処理手段は、補正対象の色成分について補間した画像に対してアンシャープマスク処理を行うことを特徴とする請求項１乃至８のいずれか１項に記載の画像処理装置。
【請求項１１】
前記処理手段は、前記光学系の撮影条件に基づいて前記光学系の前記点像強度分布関数の情報を取得する取得手段を有することを特徴とする請求項１乃至１０のいずれか１項に記載の画像処理装置。
【請求項１２】
前記処理手段は、前記光学系の撮影条件に基づいて前記光学系の前記点像強度分布関数の情報を取得する取得手段を有し、該取得手段は前記撮影画像に設定された複数の領域のそれぞれについて少なくとも２点の像高における点像強度分布関数を取得し、
前記処理手段は、前記撮影画像の複数の領域と対応する点像強度分布関数から得られる複数の画像データを用いて像高方向に補間処理を行って１つの画像データを生成し、該１つの画像データを用いて前記補正信号を生成することを特徴とする請求項４または５に記載の画像処理装置。
【請求項１３】
前記処理手段は、前記光学系の撮影条件に基づいて前記光学系の前記点像強度分布関数の情報を取得する取得手段を有し、該取得手段は前記撮影画像に設定された複数の領域のそれぞれについて少なくとも２点の像高における点像強度分布関数を取得し、
前記処理手段は、複数の点像強度分布関数に基づいて複数の補正信号を生成し、該複数の補正信号を像高方向に補間処理を行って１つの補正信号を生成し、前記１つの補正信号を、前記撮影画像に適用することを特徴とする請求項４または５に記載の画像処理装置。
【請求項１４】
前記処理手段は、前記光学系の撮影条件に基づいて前記光学系の前記点像強度分布関数の情報を取得する取得手段を有し、該取得手段は前記撮影画像に設定された複数の領域のそれぞれについて少なくとも２点の像高における点像強度分布関数を取得し、
前記処理手段は、複数の点像強度分布関数に基づいて複数の補正信号を生成し、前記複数の補正信号をそれぞれ前記撮影画像に適用することによって複数の鮮鋭化後の画像を取得し、前記複数の鮮鋭化後の画像を像高方向に補間処理を行って１つの鮮鋭化後の画像を生成することを特徴とする請求項４または５に記載の画像処理装置。
【請求項１５】
光学系が形成した被写体の光学像を光電変換する撮像素子と、
前記撮像素子から得られる撮影画像を処理する画像処理部と、を有し、
前記画像処理部は、前記光学系の撮影条件に対応する前記光学系の点像強度分布関数の情報に基づいて生成されたフィルタを用いて前記撮影画像に対するアンシャープマスク処理を行い、
前記フィルタは２次元のタップのデータを持つことを特徴とする撮像装置。
【請求項１６】
前記光学系の撮影条件と前記光学系の点像強度分布関数との関係を記憶する記憶手段を有することを特徴とする請求項１５に記載の撮像装置。
【請求項１７】
前記光学系を有することを特徴とする請求項１５または１６に記載の撮像装置。
【請求項１８】
光学系を介した撮像により生成された撮影画像を取得するステップと、
前記光学系の撮影条件に対応する前記光学系の点像強度分布関数の情報に基づいて生成されたフィルタを用いて前記撮影画像に対するアンシャープマスク処理を行うステップと、
を有し、
前記フィルタは２次元のタップのデータを持つことを特徴とする画像処理方法。
【請求項１９】
コンピュータに、
光学系を介した撮像により生成された撮影画像を取得するステップと、
前記光学系の撮影条件に対応する前記光学系の点像強度分布関数の情報に基づいて生成されたフィルタを用いて前記撮影画像に対するアンシャープマスク処理を行うステップと、
を含む処理を実行させるための画像処理プログラムであって、
前記フィルタは２次元のタップのデータを持つことを特徴とする画像処理プログラム。
【手続補正２】
【補正対象書類名】明細書
【補正対象項目名】０００７
【補正方法】変更
【補正の内容】
【０００７】
本発明の画像処理装置は、光学系を介した撮像により生成された撮影画像を取得し、前記光学系の撮影条件に対応する前記光学系の点像強度分布関数の情報に基づいて生成されたフィルタを用いて前記撮影画像に対するアンシャープマスク処理を行う処理手段を有し、前記フィルタは２次元のタップのデータを持つことを特徴とする。